【手続補正書】
【提出日】平成20年4月23日(2008.4.23)
【手続補正１】
【補正対象書類名】明細書
【補正対象項目名】特許請求の範囲
【補正方法】変更
【補正の内容】
【特許請求の範囲】
【請求項１】  記録材に画像を形成する画像形成部と、内部にヒータを有する定着ローラと、内部にヒータを有し前記定着ローラと共に記録材を挟持搬送する定着ニップ部を形成する加圧ローラと、前記定着ローラの温度を検知する第１温度検知素子と、前記加圧ローラの温度を検知する第２温度検知素子と、前記第１温度検知素子の検知温度が定着ローラ目標温度を維持するように前記定着ローラの内部のヒータを制御し、前記第２温度検知素子の検知温度が加圧ローラ目標温度を維持するように前記加圧ローラの内部のヒータを制御する制御手段と、を有する定着手段と、を有し、プリントリクエスト待ちの状態であるスタンバイ中、前記定着ローラ及び前記加圧ローラは回転停止しており、前記制御手段は、前記定着ローラ目標温度及び前記加圧ローラ目標温度をそれぞれスタンバイ中の目標温度に設定して前記定着ローラの内部のヒータ及び前記加圧ローラの内部のヒータを制御し、プリントリクエストが入ると前記定着ローラ及び前記加圧ローラを回転させつつ前記定着ローラ目標温度及び前記加圧ローラ目標温度をそれぞれプリント中の目標温度に設定して前記定着ローラの内部のヒータ及び前記加圧ローラの内部のヒータを制御し、前記プリントリクエストが入ってから所定時間経過時点でプリントを開始する画像形成装置において、
前記プリントリクエストが入力して前記定着ローラ及び前記加圧ローラが回転開始する時の前記第１及び第２温度検知素子の検知温度の組み合せにより設定されており、前記第１及び第２温度検知素子の検知温度が低いほど前記所定時間が長く設定されていることを特徴とする画像形成装置。
【請求項２】  前記所定時間は更に、記録材の種類及びサイズのうち少なくとも１つの情報に応じて設定されることを特徴とする請求項１に記載の画像形成装置。
【手続補正２】
【補正対象書類名】明細書
【補正対象項目名】０００１
【補正方法】変更
【補正の内容】
【０００１】
【発明の属する技術分野】
本発明は、電子写真プロセス・静電記録プロセスなどの適宜の作像プロセスにより未定着トナー像が形成された記録材を、定着部材と加圧部材により互いに圧接してなる定着ニップ間を通過させることにより、前記未定着トナー像を記録材上に定着させる加熱定着装置を有する、複写機・レーザプリンタ等の画像形成装置に関するものである。
【手続補正３】
【補正対象書類名】明細書
【補正対象項目名】００３３
【補正方法】変更
【補正の内容】
【００３３】
そこで、本発明の目的は、定着ローラと加圧ローラのいかなる温度状態においても前回転時間の最適化を図り、定着性の向上および定着ローラと加圧ローラの過昇温防止を両立させることを目的とする。
【手続補正４】
【補正対象書類名】明細書
【補正対象項目名】００３５
【補正方法】変更
【補正の内容】
【００３５】
（１）  記録材に画像を形成する画像形成部と、内部にヒータを有する定着ローラと、内部にヒータを有し前記定着ローラと共に記録材を挟持搬送する定着ニップ部を形成する加圧ローラと、前記定着ローラの温度を検知する第１温度検知素子と、前記加圧ローラの温度を検知する第２温度検知素子と、前記第１温度検知素子の検知温度が定着ローラ目標温度を維持するように前記定着ローラ内部のヒータを制御し、前記第２温度検知素子の検知温度が加圧ローラ目標温度を維持するように前記加圧ローラ内部のヒータを制御する制御手段と、を有する定着手段と、を有し、プリントリクエスト待ちの状態であるスタンバイ中、前記定着ローラ及び前記加圧ローラは回転停止しており、前記制御手段は、前記定着ローラ目標温度及び前記加圧ローラ目標温度をそれぞれスタンバイ中の目標温度に設定して前記定着ローラの内部のヒータ及び前記加圧ローラの内部のヒータを制御し、プリントリクエストが入ると前記定着ローラ及び前記加圧ローラを回転させつつ前記定着ローラ目標温度及び前記加圧ローラ目標温度をそれぞれプリント中の目標温度に設定して前記定着ローラの内部のヒータ及び前記加圧ローラの内部のヒータを制御し、前記プリントリクエストが入ってから所定時間経過時点でプリントを開始する画像形成装置において、
前記プリントリクエストが入力して前記定着ローラ及び前記加圧ローラが回転開始する時の前記第１及び第２温度検知素子の検知温度の組合せにより設定されており、前記第１及び第２温度検知素子の検知温度が低いほど前記所定時間が長く設定されていることを特徴とする画像形成装置。
【手続補正５】
【補正対象書類名】明細書
【補正対象項目名】００３６
【補正方法】変更
【補正の内容】
【００３６】
（２）前記所定時間は更に、記録材の種類及びサイズのうち少なくとも１つの情報に応じて設定されることを特徴とする（１）に記載の画像形成装置。
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】
【手続補正１２】
【補正対象書類名】明細書
【補正対象項目名】００４５
【補正方法】変更
【補正の内容】
【００４５】
感光ドラム１１はその回転過程で、一次帯電器１２による所定の極性・電位の一様帯電処理を受け、次いでその一様帯電処理面にレーザスキャナ１０によるレーザ走査露光Ｌを受ける。レーザ走査露光Ｌは画像情報パターンの書き込み露光であり、走査露光パターンに対応した静電潜像が感光ドラム１１に順次に形成される。その静電潜像が現像器１３によりトナー像として現像される。そしてそのトナー像が感光ドラム１１と転写ローラ１６との圧接部である転写ニップ部に給紙部から所定の制御タイミングにて給送された記録材（転写材：以後、紙と記す）Ｐに順次に転写される。以上が、記録材に画像を形成する画像形成部である。紙Ｐは転写ニップ部を出て、感光ドラム１１面から分離されて加熱定着装置３０へ導入されて、紙Ｐ上の未定着トナー像が加熱・加圧により定着される。トナー像の定着された紙Ｐは定着排紙搬送ローラ対７０から排紙ローラ対８１の経路を通ってプリンタ本体上面の排紙トレイ８０に画像形成物として排紙される。
【手続補正１３】
【補正対象書類名】明細書
【補正対象項目名】００５３
【補正方法】変更
【補正の内容】
【００５３】
このプリントレディ状態において、加熱定着装置３０についてはスタンバイ制御となり、定着ローラの回転駆動は停止され、定着ヒータと加圧ヒータに対する通電制御は所定になされて定着ローラと加圧ローラが所定温度に維持される。即ち、プリントリクエスト待ちの状態であるスタンバイ中、定着ローラ及び加圧ローラは回転停止しており、制御手段は、定着ローラ目標温度及び加圧ローラ目標温度をそれぞれスタンバイ中の目標温度に設定して定着ローラの内部のヒータ及び加圧ローラの内部のヒータを制御する。
【手続補正１４】
【補正対象書類名】明細書
【補正対象項目名】００６８
【補正方法】変更
【補正の内容】
【００６８】
定着ローラ５０は内部に定着メインヒータ５４と定着サブヒータ５５を有する。定着メインヒータ５４は１２０Ｖ入力時に７００Ｗの定格出力がでるものを使用し、ヒータ配光は両端部１００％に対して中央部３５０％であり、中央部の配光分布が大きくなっている。一方、定着サブヒータ５５は１２０Ｖ入力時に３００Ｗの定格出力がでるものを使用し、ヒータ配光は中央部１００％に対して両端部３５０％であり、端部の配光分布が大きくなっている。また、定着メインヒータ５４、定着サブヒータ５５はいずれも通紙基準に対して対称な配光分布になっている。
【手続補正１５】
【補正対象書類名】明細書
【補正対象項目名】００６９
【補正方法】変更
【補正の内容】
【００６９】
定着ローラ５０の温度は、定着ローラ５０の非通紙域に当接されるサーミスタ５６（第１温度検知素子）によって、定着ローラ５０の表面温度として検出され、温度制御回路（制御手段）によって定着メインヒータ５４を断続的に作動させることで、上記表面温度は所定の温度（定着ローラ目標温度）に制御される。
【手続補正１６】
【補正対象書類名】明細書
【補正対象項目名】００７２
【補正方法】変更
【補正の内容】
【００７２】
加圧ローラ６０の温度は、加圧ローラ６０の非通紙域に当接されるサーミスタ６５（第２温度検知素子）によって、加圧ローラ６０の表面温度として検出され、温度制御回路によって加圧ヒータ６４を断続的に作動させることで、上記表面温度は所定の温度（加圧ローラ目標温度）に制御される。
【手続補正１７】
【補正対象書類名】明細書
【補正対象項目名】００７７
【補正方法】変更
【補正の内容】
【００７７】
この後、プリントリクエストがなければスタンバイ制御、プリントリクエストがあれば前回転の後（所定時間経過時点）にプリント温調となる。スタンバイ制御は、定着ローラ温度を１８０℃に保つように定着メインヒータ５４と定着サブヒータ５５の同時点灯、消灯を繰り返す。一方、定着サブヒータ５５が消灯している間は、加圧ローラ６０の加圧ヒータ６４を間欠点灯して、加圧ローラサーミスタ位置の温度が１４０℃となるように制御している。
【手続補正１８】
【補正対象書類名】明細書
【補正対象項目名】０１１１
【補正方法】変更
【補正の内容】
【０１１１】
すなわち、本実施例では、図８の（  ）内に示したように、
（ａ）加圧ローラ６０が状態１であり、定着ローラ５０の温度が高い場合には１５秒間の前回転を行う。
【手続補正１９】
【補正対象書類名】明細書
【補正対象項目名】０１２１
【補正方法】変更
【補正の内容】
【０１２１】
【発明の効果】
以上説明したように、本発明によれば、定着ローラの検知温度と加圧ローラの検知温度の組み合わせによって最適な前回転時間を決定することにより、定着性の向上および定着ローラ・加圧ローラの過昇温防止を両立することができる。